(57)【特許請求の範囲】
【請求項１】
バックル本体１に差込体２を差し込む嵌脱形式のバックルにおいて、嵌脱操作を行う操作部４の押圧面５に弾性部材６を配設し、該弾性部材６は押圧面５よりも突出した形態にバックル本体１または差込体２に一体に形成してなることを特徴とするバックル。
【発明の詳細な説明】
【０００１】
【発明の属する技術分野】
この発明は、雌雄部材すなわちバックル本体と差込体を差し込む嵌脱形式によるバックルであって、一般には被服、鞄、ヘルメット、ベビーカー、あるいはスポーツ用具などに用いられるベルト緊締用のバックルに関するものである。
【０００２】
【従来の技術】
従来、バックル本体のハウジングに差込体の一対の差込脚部を差し込む嵌脱形式によるバックルにおいて、図２５に示すように差込体の差込脚部を容易に摘持し操作をし易くするため、差込脚部の外側面に凹凸条の粗面を形成した嵌脱形式のバックルが意匠登録第９８４０９８号公報に開示されている。
【０００３】
また図２６に示すようにバックル本体のハウジングに差込体の一対の差込脚部を差し込む嵌脱形式のバックルにおいて、バックル本体のハウジングの両側に切り欠いた操作用開口部を設け、差込体は差込脚部の外側に、開口部が現出する操作部を設け、前記ハウジングの開口部をエラストマーまたはゴムなどの弾性体のリンク状の部材で被覆して被覆部を形成し、係合した差込脚部は被覆部の外側から押圧して係合を解除するバックルが特開平８−２９９０３０号公報に開示されている。
【０００４】
【発明が解決しようとする課題】
前項で述べた図２５に示すバックルは、差込体の差込脚部の押圧面を単に凹凸条に形成したものであるから、硬直で柔軟性がなく手触りが悪く、柔軟性を備えたバックルとはいえない。また図２６に示すバックルは、バックルの製作に手数を要し、コスト高になるなど問題点がある。
【０００５】
この発明は、上述の問題点を考慮して発明されたものであり、この発明のうち請求項１記載の発明は、嵌脱形式のバックルの操作部分が柔軟で手触りがよく円滑な嵌脱操作が行えるように弾性部材を押圧面の表面よりも突出する形態に形成し、しかもソフトの感触を備えたバックルをきわめて簡易に製作することができ、低コストの嵌脱形式のバックルを提供することが主たる目的である。
【０００６】
【課題を解決するための手段】
前記の目的を達成するため、この発明のうち請求項１記載の発明は、バックルがバックル本体１と差込体２とから形成され、バックル本体１へ差込体２を差し込む嵌脱形式のバックルであり、このバックルにおいて嵌脱操作を行う操作部４に形成する押圧面５は、バックル本体１に設置することもあれば、差込体２に設置することもあるが、その操作部分４に形成する押圧面５に弾性部材６を配設し、弾性部材６は押圧面５よりも突出した形態にバックル本体１または差込体２と一体に形成したバックルを主な構成とするものである。
【０００７】
【発明の実施の形態】
以下、この発明のバックルの実施の形態について、図面を参照しながら具体的に説明する。
この発明のバックルの特徴は、ソケットと称するバックル本体１と、このバックル本体１へ差し込むことができるプラグと称する差込体２とから形成された嵌脱形式のバックルであり、バックル本体１へ差込体２を差し込む嵌脱操作を行う操作部４の押圧面５に弾性を備えた弾性部材６を配設したバックルである。
【０００８】
図１〜１０に示す第１実施例のバックルについて説明すると、バックル本体１は扁平なハウジング８から形成され、図４、７に示すように上面板９と下面板１０とを中央長手方向に中仕切１１を配して上面板９と下面板１０とを連結してハウジング８を形成し、ハウジング８の前端と両側の三方を開口した状態に形成し、一端に差込体２を差し込むことができる差込口１２を設け、他端にベルトを取り付けることができるベルト取付部１３を設ける。上面板９および下面板１０の内面両側に差込体２の係合突部２３と係合できる係止部１４を内方へ突出する形に形成し、上面板９の表面には弾性を備えた弾性部材６を二色成形手段またはインサート成形手段によって配設し、バックル本体１へ差込体２を差し込む嵌脱操作の際、弾性部材６を配したハウジング８を容易に摘み嵌脱操作ができるように形成する。
【０００９】
差込体２は基杆２０の両側に前方へ突出する差込脚部２１を設け、差込脚部２１は中央に中抜き状態の長孔部２２を設け、平面的に弾性変形が容易にできるように形成し、差込脚部２１の先端の内側に係止部１４に係合できる係合突部２３を上下両面に設け、基杆２０の中央に一対の突片２４を突設してハウジング８内に設けた中仕切１１に嵌入できるように形成する。基杆２０の両側には差込脚部２１から延出された側枠２５を設け、この側枠２５間にはベルトを引っ掛ける引掛杆２６およびベルトを係止できる係止杆２７を架設してベルトの長さ調整ができるように形成する。
【００１０】
差込体２の差込脚部２１および側枠２５の外側面に、バックル本体１へ差込体２を差し込むための嵌脱操作を行うことができる操作部４を形成し、この操作部４の押圧面５には表面へ突出する弾性を備えた弾性部材６を一体に配設する。操作部４の押圧面５に弾性を備えた弾性部材６を配することによって、バックル本体１へ差込体２を差し込む嵌脱操作の際、押圧面５が柔軟で手触りがよく円滑な嵌脱操作が行える。しかも差込脚部２１の外面に設けた操作部４の押圧面５は、バックル本体１のハウジング８に差し込むとき、ハウジング８の両側の外側を単に進退するのみであるから、押圧面５に配した弾性部材６を摩耗損傷させることがない。
【００１１】
バックル本体１と差込体２はポリアミド、ポリアセタール、ポリプロピレン、ポリプチレンテレフタレートなどの熱可塑性樹脂またはこれら樹脂に耐摩耗性強化材を加えて射出成形手段によって成形して形成する。また操作部４の押圧面５に配する弾性部材６は天然ゴム、合成ゴム、またはポリエチレンテレフタレート系、ポリアミド系、ポリウレタン系エラストマーから形成し、弾性部材６はバックル本体１または差込体２を成形する際、二色成形手段、またはインサート成形手段によって、バックル本体１または差込体２とともに一体に成形する。さらにバックル本体１および差込体２の色彩と、弾性部材６の色彩とを異色に形成し、たとえばバックル本体１と差込体２とを黄色に形成し、弾性部材６を黒色に形成し、色彩鮮やかな美しいバックルを作製することができる。その他弾性部材６の一部にバックル本体１または差込体２の一部を直接表出して各種の模様またはロゴマークを表示したバックルを作製することもできる。
【００１２】
なお図３、７中の符号４２は、ハウジング８の上面板９および下面板１０の内面に設ける係止部１４を成形するためのコア用孔部であり、下面板１０に設けたものである。
【００１３】
図１１〜１５に示す第２実施例のバックルは、バックル本体１のハウジング８の両側に差込体２の嵌脱操作を行うための操作部４としてサイドレバー１６を設け、サイドレバー１６の押圧面５に弾性を備えた弾性部材６を配設したバックルである。バックル本体１は上面板９、下面板１０、側壁１５とからなる扁平なハウジング８から形成し、上面板９と下面板１０の中央長手方向に中仕切１１を設け、差込口１２側の側壁１５から先端に向け基部が連結され自由に弾性変形ができるサイドレバー１６を設け、このサイドレバー１６の先端に内方へ突出する突片１７を設けて、差込体２の差込脚部２１を押圧できるように形成し、突片１７の先端の近傍に係止部１４を上面板９と下面板１０との間に介在させ、差込体２の差込脚部２１の係合突部２３と係合できるように形成し、係止部１４と中仕切１１との間に差込脚部２１が挿入できるように形成する。
【００１４】
ハウジング８は図１２に示すように、サイドレバー１６の押圧面５に弾性を備えた弾性部材６を押圧面５よりも突出する形で二色成形手段またはインサート成形手段によって一体的に成形し、かつ上面板９の表面にも上面板９よりも突出する形で弾性部材６を一体的に成形する。そしてバックル本体１へ差込体２を差し込む嵌脱操作の際、一方の手でサイドレバー１６を押圧することにより抜脱操作を行い、また一方の手でハウジング８の上面板９と下面板１０とを摘み、差込体２をハウジング８に差し込むことにより差込操作を行う。この際上面板９の弾性部材６もサイドレバー１６の弾性部材６と同様に手触りがよく円滑な操作ができる。なお図１２に示すように上面板の弾性部材６は一部にバックル本体１の素材が表出して模様４３を現出し美しいバックル本体１を形成することができる。
【００１５】
差込体２は図１５に示すように、基杆２０の両端にガイド片２８を突設してハウジング８に差込脚部２１を差し込んだとき、ガイドおよび揺動を防ぐように形成する。また基杆２０の前面に一対の差込脚部２１を突設し、差込脚部２１は中央を中抜き状態の長孔部２２を設けて弾力性を付与するとともに、先端の外側にフック状の係合突部２３を形成してハウジング８の係止部１４と係合する。基杆２０の他端両側に側枠２５を設け、この側枠２５にベルトを引っ掛ける引掛杆２６とベルトを係止できる係止杆２７を架設してベルトの長さ調整ができるように形成する。なお第１実施例と同様に側枠２５の外表面にも弾性部材６を配設することが可能である。
【００１６】
バックル本体１と差込体２との係合を解除し分離開放させるには、図１１に示すようにサイドレバー１６の弾性部材６を配した押圧面５を押圧し、係止部１４と係合突部２３との係合を解除し、差込脚部２１をハウジング８から弾き出して抜脱させ分離開放させることができる。
【００１７】
図１６〜２０に示す第３実施例のバックルは、バックル本体１のハウジング８の上面板９に差込体２の嵌脱操作を行うための操作部４としての押圧板１７を設け、押圧板１７の押圧面５に弾性を備えた弾性部材６を配したバックルである。バックルはバックル本体１と差込体２とから形成され、バックル本体１は図１８〜２０に示すようにハウジング８の一端に差込体２の差込板２９を差し込むことができる差込口１２を設け、上面板９は差込口１２側を残して三方がスリッターにより切り離されて舌片状の可撓性のある押圧板１７が形成され、この押圧板１７の表面に押圧面５を形成し、押圧面５に弾性部材６を押圧面５よりも突出する形で二色成形手段またはインサート成形手段によって一体的に成形して取り付ける。
【００１８】
差込口１２はハウジング８の両側の側壁１５に架設した基台１８と上面板９との間に形成し、基台１８から差し込み方向へ伸びる可撓性のある舌片状の係止片１９を突設し、係止片１９の先端はやや上方へ向けて突出するように形成する。差込体２の差込板２９に設けた係止爪３０と係合できるように形成し、係止片１９の前方に差込板２９を差し込んだとき、差込板２９の先端を受け止めることができる受片３２を下方に設ける。
【００１９】
押圧板１７は差込体２の差込板２９を差し込んだとき、押し下げると係止片１９と差込板２９の係止爪３０との係止を解除させるため、押圧板１７の裏面中央に突出する押下突部３３を設け、この押下突部３３が押圧板１７を押し下げたとき、係止片１９の先端を押し下げて差込板２９の係止爪３０から脱却させる。またこの押圧板１７は押下突部３３に至る間に斜面部３４を形成して差込板２９が差し込まれたとき、斜面部３４は差込板２９の弾性舌片３１を弾性変形させて接合し、かつ係止片１９と差込板２９の係止爪３０との係合が押下突部３３の押圧によって解除させると、弾性舌片３１は斜面部３４に沿って差込板２９を弾き出し、ハウジング８から差込板２９を抜脱させることができる。押下突部３３の下部先端に小片のフック状の舌片３５を突設し、ハウジング８の側壁１５に架設した後壁３６の上部に形成したフック部３７に係止して押圧板１７の上方への揺動を規制する。
【００２０】
差込体２は図２１、２２に示すように基杆２０の前面に平板状の差込板２９を突設し、この差込板２９の中央部分に基杆２０側を除いた三方を切り離した舌片状の可撓性のある弾性舌片３１を設け、弾性舌片３１はバックル本体１の押圧板１７の斜面部３４と弾発的に当接できるように形成し、弾性舌片３１の前方の差込板２９は中央で切り離して左右に分割して切欠部３８を形成し、切欠部３８は差し込まれたとき、押圧板１７の押下突部３３を避けるように形成する。この差込板２９の先端下面にフック状の係止爪３０を設けてバックル本体１の係止片１９と係合できるように形成する。
【００２１】
基杆２０の両側には背丈が高い側枠２５が連設され、側枠２５にはベルトを引っ掛ける引掛杆２６とベルトを係止できる係止杆２７とを架設し、ベルトの長さ調整ができるように形成されている。なおこの実施例においても、第１実施例と同様に側枠２５の外表面にも弾性部材６を配設することが可能である。
【００２２】
係合状態のバックルをバックル本体１と差込体２とに分離開放させるには、バックル本体１のハウジング８に設けた押圧板１７に形成した弾性部材６を配した押圧面５を押圧し、押下突部３３を差込板２９の切欠部３８を通じて押し下げ、係止片１９の先端を押し下げることによって、差込板２９は受片３２に支えられ係止爪３０から係止片１９を脱却すると同時に、差込板２９の弾性舌片３１を斜面部３４によって弾き返し、差込板２９をハウジング８から抜脱させ分離開放させる。
【００２３】
図２３、２４に示す第４実施例のバックルは、バックル本体１と差込体２とから形成され、バックル本体１は上面板９、下面板１０、側壁１５からなる扁平状のハウジング８から形成され、一端に差込口１２、他端にベルト取付部１３を設け、側壁１５は中央部分が円弧状に切り欠いて開口部３９を設け、この開口部３９に差込体２の差込脚部２１に形成したバックル本体１との嵌脱操作を行う操作部４の押圧面５が現出できるように形成し、開口部３９の差込口１２側の側壁１５に第２係止部４０を設けて差込脚部２１に形成した第二結合突部４１と係合できるように形成する。
【００２４】
ハウジング８の中央長手方向に上面板９と下面板１０を連結し左右に仕切る中仕切１１を設け、この中仕切１１の両側に差込体２の差込脚部２１が嵌入できるように形成し、開口部３９の奥側の上面板９と下面板１０の内面に内側へ突出し、差込体２の差込脚部２１の先端に形成した係合突部２３と係合する係止部１４を設ける。ハウジング８の表面すなわち上面板９の表面には各種形状の弾性部材６を二色成形手段、またはインサート成形手段によって一体的に成形し、感触のよいハウジング８に形成する。
【００２５】
差込体２は基杆２０の前面両側に位置する一対の差込脚部２１を突設し、差込脚部２１は中央部分を中抜きにした長孔部２２を設けて平面的に弾性変形ができるように形成し、差込脚部２１の外側面の中央に外方へ膨出する操作部４を設け、この操作部４の押圧面５に弾性部材６を二色成形手段またはインサート成形手段によって一体的に成形する。押圧面５に成形した弾性部材６はハウジング８に差し込むとき差込口１２の側壁１５に接触するから、摩耗を防ぐため、押圧面５に弾性部材６を収容できる凹部を設け、この凹部内へ弾性部材６を充填させ、輪郭を残すのが好ましい。
【００２６】
差込体２の差込脚部２１はやや内側に湾曲した形状を呈し、先端にハウジング８の上下内面に設けた係止部１４と係合できる係合突部２３を上下両面に突設し、基杆２０の中央に一対の突片２４を突設してハウジング８の中仕切１１を嵌入し、ガイドと揺動を防ぐように形成する。また基杆２０の両側に側枠２５を連設し、この側枠２５にベルトを引っ掛ける引掛杆２６とベルトを係止できる係止杆２７とを架設し、ベルトの長さ調整ができるように形成する。なおこの実施例においても、第１実施例と同様に側枠２５の外表面にも弾性部材６を配設することが可能である。
【００２７】
バックル本体１のハウジング８に差込体２の差込脚部２１を差し込むと図２４に示すように差込脚部２１の係合突部２３とハウジング８の係止部１４とが係合し、かつ差込脚部２１の中央に形成した第２係合突部４１がハウジング８の第二係止部４０と係合して固定される。係合状態のバックルをバックル本体１と差込体２とに分離開放させるには、差込体２の差込脚部２１を内側へ押圧することにより、係合突部２３と係止部１４、さらに第二係合突部４１と第二係止部４０との係合が解除され、ハウジング８から差込脚部２１を抜脱し、バックル本体１と差込体２とに分離開放させる。
【００２８】
【発明の効果】
この発明のバックルは、以上説明したとおりの構成であり、この構成によって下記の効果を奏する。
この発明の請求項１記載の発明は、バックル本体に差込体を差し込む嵌脱形式のバックルにおいて、嵌脱操作を行う操作部の押圧面に弾性部材を配設し、弾性部材は押圧面よりも突出した形態にバックル本体または差込体に一体に形成したことによって、バックルを嵌脱操作する操作部分が押圧面よりも表面へ突出しているので、操作部分における手触りがよく、また表面へ突出しているため、押圧操作が的確に行うことができ、手触りおよび感触の良好な品質の優れた差し込みタイプのバックルに仕上げることができるなどの効果がある。
【図面の簡単な説明】
【図１】  第１実施例のバックルにおけるバックル本体と差込体とを分離した状態を示す斜視図である。
【図２】  同上バックルの差し込み状態を示す正面図である。
【図３】  同上バックルのバックル本体の正面図である。
【図４】  同上バックルのバックル本体の側面図である。
【図５】  同上バックルの図３におけるＡ−Ａ線断面図である。
【図６】  同上バックルの図３におけるＢ−Ｂ線断面図である。
【図７】  同上バックルの図４におけるＣ−Ｃ線断面図である。
【図８】  同上バックルの差込体の正面図である。
【図９】  同上バックルの差込体の側面図である。
【図１０】  同上バックルの図８におけるＤ−Ｄ線断面図である。
【図１１】  第２実施例のバックルのバックル本体と差込体とが差し込まれた状態における一部破断した正面図である。
【図１２】  同上バックルのバックル本体の正面図である。
【図１３】  同上バックルの図１４におけるＥ−Ｅ線断面図である。
【図１４】  同上バックルのバックル本体の側面図である。
【図１５】  同上バックルの差込体の正面図である。
【図１６】  第３実施例のバックルにおけるバックル本体と差込体とが差し込まれた状態を示す正面図である。
【図１７】  同上バックルの図１６におけるＦ−Ｆ線断面図である。
【図１８】  同上バックルのバックル本体の正面図である。
【図１９】  同上バックルの図１８におけるＧ−Ｇ線断面図である。
【図２０】  同上バックルの図１９におけるＨ−Ｈ線断面図である。
【図２１】  同上バックルの差込体の正面図である。
【図２２】  同上バックルの図２１におけるＩ−Ｉ線断面図である。
【図２３】  第４実施例のバックルにおけるバックル本体と差込体とが分離した状態を示す正面図である。
【図２４】  同上バックルにおけるバックル本体と差込体とが差し込まれた状態を示す正面図である。
【図２５】  公知のバックルの正面図である。
【図２６】  他の公知のバックルの正面図である。
【符号の説明】
１            バックル本体
２            差込体
４            操作部
５            押圧面
６            弾性部材
１７            押圧板
２１            差込脚部
４３            模様
【図１】
0003775725.tif 000002
【図２】
0003775725.tif 000003
【図３】
0003775725.tif 000004
【図４】
0003775725.tif 000005
【図５】
0003775725.tif 000006
【図６】
0003775725.tif 000007
【図７】
0003775725.tif 000008
【図８】
0003775725.tif 000009
【図９】
0003775725.tif 000010
【図１０】
0003775725.tif 000011
【図１１】
0003775725.tif 000012
【図１２】
0003775725.tif 000013
【図１３】
0003775725.tif 000014
【図１４】
0003775725.tif 000015
【図１５】
0003775725.tif 000016
【図１６】
0003775725.tif 000017
【図１７】
0003775725.tif 000018
【図１８】
0003775725.tif 000019
【図１９】
0003775725.tif 000020
【図２０】
0003775725.tif 000021
【図２１】
0003775725.tif 000022
【図２２】
0003775725.tif 000023
【図２３】
0003775725.tif 000024
【図２４】
0003775725.tif 000025
【図２５】
0003775725.tif 000026
【図２６】
0003775725.tif 000027